(57)【要約】【課題】表示された複数の図形で任意の図形を簡単に特定することができ，ひいては，解像度が低く紙媒体に印刷された線図から，建築に必要な電設資材等を簡単に特定し，これらの積算をスピーディに行うための，図形特定システム，図形照合システム，及びこれを用いる積算システムを提供する。【解決手段】印刷された複数の線図４を読取る読取部５と，読取部５の読取りデータをデジタルデータとするデジタル変換部６と，デジタルデータに従った複数の図形を表示するモニタ７と，表示された複数の図形に対する範囲指定により任意の図形を特定する図形特定部８と，を有する図形特定システム１であって，範囲指定は，モニタ７上に指定された一の指定位置を原点１５とする横軸及び縦軸の数値を正負両方向に増加させながら，線に対応するデータが検出されなくなる座標を求め，かかる座標を結ぶことで行われることを特徴とする。【選択図】図１
2008097315.tif 000002
【特許請求の範囲】
【請求項１】
印刷された複数の線図を読取る読取部と，読取部の読取りデータをデジタルデータとするデジタル変換部と，デジタルデータに従った複数の図形を表示するモニタと，表示された複数の図形に対する範囲指定により任意の図形を特定する図形特定部と，を有する図形特定システムであって，範囲指定は，モニタ上に指定された一の指定位置を原点とする横軸及び縦軸の数値を正負両方向に増加させながら，線に対応するデータが検出されなくなる座標を求め，かかる座標を結ぶことで行われることを特徴とする図形特定システム。
【請求項２】
標準図形データを収容する標準データベースと，請求項１記載の図形特定システムによって特定された任意の図形に対して，標準図形データを順次照合させる図形検索部とを有し，任意の図形に対応する標準図形データを特定することを特徴とする図形照合システム。
【請求項３】
標準データベースは標準図形データに関連付けられた設計用データをも収容するものであり，請求項２記載の図形照合システムによって特定された任意の図形に関連する設計用データを積算する積算部を有することを特徴とする積算システム。
【発明の詳細な説明】
【技術分野】
【０００１】
本発明は、印刷された複数の線図を読取る読取部と，読取部の読取りデータをデジタルデータとするデジタル変換部と，デジタルデータに従った複数の図形を表示するモニタと，表示された複数の図形に対する範囲指定により任意の図形を特定する図形特定部と，を有する図形特定システム，これを用いる図形照合システム，及びこれを用いる積算システムに関するもので，特に，解像度が低く紙媒体に印刷された線図から，建築に必要な電設資材等を特定し，これらの積算を行うものに関する。
【背景技術】
【０００２】
従来から、積算システムとして，建築ＣＡＤでの図面作成と併せて積算を行う積算システムが公知であり，例えば，特開２００２−１１７０８０号公報（特許文献１）に記載されている技術等が知られている。
【０００３】
これは，建築ＣＡＤで作成された図面データ，すなわちデジタルデータに基づいてサーバー内に構築された設計用データを積算するシステムであり，デジタルデータに従った図形の解像度の高さゆえに，適切な設計用データを調達し，これに基づく精度の高い演算が可能となるものである。
【０００４】
一方，実際の取引慣習では，建築を請け負った施工業者が設計事務所に図面を発注し，受注した設計事務所が作成した図面を施工業者に納品し，図面を受領した施工業者が各種工事業者に図面を提示して積算依頼し，見積依頼された各種工事業者が電設資材ディーラー及び住設資材ディーラーに積算を再依頼し，以下，取引ルートに従って再依頼が繰り返され，最終的に電設資材メーカー及び住設資材メーカーが受領した図面に基づいて積算を行うケースがほとんどであり，この流れの中で図面は，設計事務所が作成した図面データ（上述のデジタルデータ）から，コピー，ファックス等の紙媒体に印刷された線図に置換されることとなる。
【０００５】
従って，上記従来技術に記載の積算システムを活用する場合，建設資材メーカー及び住設資材メーカーは印刷された線図をデジタルデータに変換する必要があるが，紙媒体に印刷された線図をデジタルデータに変換すると，これに従った図形の解像度は設計事務所が作成したものに比べて低くなる。
【０００６】
そのため，解像度の低い図形のそれぞれに対し，対応する標準図形データを特定する必要があり，例えば，モニタ上に表示された複数の図形の中で任意の図形を特定して，標準図形データを順次照合させる，図形照合システムが活用されることとなる。
【特許文献１】特開２００２−１１７０８０号公報
【発明の開示】
【発明が解決しようとする課題】
【０００７】
しかしながら，実際の積算においては，採用される電設資材，住設資材の点数は膨大なものであることから，表示された複数の図形で任意の図形を特定するために，モニタ上でカーソルをドラッグしてのいわゆる「枠囲み」による範囲指定によるとすると，手続が煩雑であり，図形の一部を指定から外してしまう図形特定の不良が生じる可能性がある。また，図形特定の不良により図形照合システムの動作不良が生じる可能性がある。
【０００８】
本願発明は、上記背景技術に鑑みてなされたものであり、その課題は、表示された複数の図形で任意の図形を簡単に特定することができ，ひいては，解像度が低く紙媒体に印刷された線図から，建築に必要な電設資材等を簡単に特定し，これらの積算をスピーディに行うための，図形特定システム，図形照合システム，及びこれを用いる積算システムを提供することである。
【課題を解決するための手段】
【０００９】
上記課題を解決するために、請求項１に記載された発明は、印刷された複数の線図を読取る読取部と，読取部の読取りデータをデジタルデータとするデジタル変換部と，デジタルデータに従った複数の図形を表示するモニタと，表示された複数の図形に対する範囲指定により任意の図形を特定する図形特定部と，を有する図形特定システムであって，範囲指定は，モニタ上に指定された一の指定位置を原点とする横軸及び縦軸の数値を正負両方向に増加させながら，線に対応するデータが検出されなくなる座標を求め，かかる座標を結ぶことで行われることを特徴とする図形特定システムである。
【００１０】
また請求項２に記載された発明は、標準図形データを収容する標準データベースと，請求項１記載の図形特定システムによって特定された任意の図形に対して，標準図形データを順次照合させる図形検索部とを有し，任意の図形に対応する標準図形データを特定することを特徴とする図形照合システムである。
【００１１】
また請求項３に記載された発明は、標準データベースは標準図形データに関連付けられた設計用データをも収容するものであり，請求項２記載の図形照合システムによって特定された任意の図形に関連する設計用データを積算する積算部を有することを特徴とする積算システムである。
【００１２】
ここで，標準図形データとは，電設資材メーカー等によって予め用意されている電設資材等の図形のデジタルデータをいう。
【００１３】
また，設計用データとは，標準図形データに対応する電設資材等の品番、製品写真、仕様、製品価格，外観，色調，組合せ可能である安定器，光源，その他付属部材等を示すデータをいう。
【００１４】
また，線図とは，紙媒体等に印刷されたものでアナログデータによるものをいう。
【００１５】
さらに，図形とは，線図をデジタルデータに変換したものをモニタ上に表示したものをいう。そのため，本願発明にかかる図形特定システム，これを用いる図形照合システム，及びこれを用いる積算システムにあっては，操作者はモニタ上の図形を見ながら図形特定，図形照合，積算等の操作を行うこととなる（詳細は後述する）。
【発明の効果】
【００１６】
請求項１に記載された発明によれば、任意の図形を特定するための範囲指定は，モニタ上に指定された一の指定位置を原点とする横軸及び縦軸の数値を正負両方向に増加させながら，線に対応するデータが検出されなくなる座標を求め，かかる座標を結ぶことで行われるので，作業者がカーソルを一の指定位置に合わせるだけで任意の図形が特定されるので，作業の煩雑さが解消され，カーソルをドラッグしての範囲指定する場合に見られる図形の一部を指定から外してしまう図形特定の不良が生じる可能性が低減する。
【００１７】
請求項２に記載された発明によれば、標準図形データを収容する標準データベースと，請求項１記載の図形特定システムによって特定された任意の図形に対して，標準図形データを順次照合させる図形検索部とを有し，任意の図形に対応する標準図形データを特定するので，簡単な操作で図形特定を行うことができる。
【００１８】
請求項３に記載された発明によれば、標準データベースは標準図形データに関連付けられた設計用データ，例えば，対応する光源，バラスト，カラーリング，ポール等付属品のデータ等をも収容するものであり，請求項２記載の図形照合システムによって特定された任意の図形に関連する設計用データを積算する積算部を有するので，簡単な操作で，かつ図形特定の不良による積算システムの動作不良を低減した状態で積算を行うことができる。
【発明を実施するための最良の形態】
【００１９】
本願発明の一実施形態として、本願の請求項１〜３に対応した図形特定システム１，図形照合システム２，及び積算システム３について図１〜３により説明する。
【００２０】
本実施形態の図形特定システム１は、図１に示す如く、印刷された複数の線図４を読取る読取部５と，読取部５の読取りデータをデジタルデータとするデジタル変換部６と，デジタルデータに従った複数の図形を表示するモニタ７と，表示された複数の図形に対する範囲指定により任意の図形を特定する図形特定部８と，を有する図形特定システム１であって，範囲指定は，モニタ７上に指定された一の指定位置を原点１５とする横軸及び縦軸の数値を正負両方向に増加させながら，線に対応するデータが検出されなくなる座標を求め，かかる座標を結ぶことで行われることを特徴とする。
【００２１】
また本実施形態の図形照合システム２は、図２に示す如く、標準図形データを収容する標準データベース９と，請求項１記載の図形特定システム１によって特定された任意の図形に対して，標準図形データを順次照合させる図形検索部１０とを有し，任意の図形に対応する標準図形データを特定することを特徴とする。
【００２２】
また本実施形態の検索システム３は、図３に示す如く、標準データベース９は標準図形データに関連付けられた設計用データをも収容するものであり，請求項２記載の図形照合システム２によって特定された任意の図形に関連する設計用データを積算する積算部１１を有することを特徴とする。
【００２３】
以下、本実施形態による図形特定システム１，図形照合システム２，及び積算システム３を、より具体的詳細に説明する。
【００２４】
積算システム３は，図形特定システム１と，図形照合システム２と，を備えている。
【００２５】
図形特定システム１は，読取部５と，デジタル変換部６と，モニタ７と，図形特定部８と，入力部１２と，で構成される。
【００２６】
読取部５は，印刷された線図４に光を照射し，その反射光を微細領域ごとに受光してその受光量を電圧値に変換するもので，本実施形態ではスキャナが用いられている。
【００２７】
デジタル変換部６は，コンパレータを主要素とする回路であり，予め設定されたしきい値に従って，微細領域ごとの受光量を二値化されたデジタルデータとするものである。デジタルデータは汎用の半導体を主要素とするメモリ１４に記憶される。なおデジタルデータは二値化されたものに限定されず，いわゆるグレースケールを含む，多値化されたものであっても構わない。
【００２８】
モニタ７はメモリされたデジタルデータを表示するもので，本実施形態では汎用のものが用いられる。
【００２９】
図形特定部８は，後述の図形特定方法に従ってモニタ７上に表示された図形を特定するもので，本実施形態では汎用のＣＰＵが用いられる。なお図形特定手順自体はＣＰＵ内の記憶部に記憶されている。
【００３０】
入力部１２は，ＣＰＵに対する指令を入力するもので，本実施形態ではマウス等の汎用のポインティングデバイス及びキーボードで構成される。
【００３１】
図形照合システム２は，図形特定システム１と，標準データベース９と，図形検索部１０と，で構成される。
【００３２】
標準データベース９は，標準図形データを収容しておくもので，本実施形態では汎用の記憶媒体が用いられる。
【００３３】
図形検索部１０は，汎用の図形照合手段によって，図形特定システム１が特定した図形と，標準データベースに収容された標準図形データと，を図形照合するもので，汎用のＣＰＵが用いられる。
【００３４】
積算部１１は，図形照合システムによって特定された標準図形データに関連付けられた設計用データのうち，入力部１２によって指定されたものを，順次積算を行い，積算書類として出力するもので，汎用のＣＰＵが用いられる。
【００３５】
図形特定部８，図形検索部１０，積算部１１は，それらの機能を実行するものであれば，同じＣＰＵであっても構わない。
【００３６】
以下、本実施形態による図形特定システム１，図形照合システム２，及び積算システム３の動作を、図４〜図１１により，具体的詳細に説明する。ここで，図４〜図５は，電設資材メーカーが受領した積算用図面に記載された線図から図形を特定して，標準図形データ及び設計用データを表示する動作を示し，図５〜図１１は，図形特定作業の動作を示す。
【００３７】
最初に，線画４の読取から図形特定、図形照合までの方法について説明する。
【００３８】
まず，線画４を読取部５にセットして読取を実行する。読取結果はデジタル変換部によって，デジタルデータとされ、メモリ１４に記憶される
次に，メモリ１４に記憶されたデジタルデータは，図形としてモニタ７に表示されるので、入力部１２を使用して、任意の図形を特定する。（詳細は後述する）。ここで，図４に示す如く，モニタ７上でカーソルをドラッグして図形を特定するのではなく，一の指定位置を決めることで，例えばワンクリック動作により図形を特定することとなる（図４参照）。
【００３９】
次に，図５に示す如く，特定した図形を標準データベース９の図形と照合する（図５照）。この照合は、ＯＣＲや指紋照合などで用いられる、汎用の方法を用いることができる。
【００４０】
次に，照合による合致度の高い順番に標準データベース９から、図形に対応した品番、製品写真、仕様、製品価格，外観，色調，組合せ可能である安定器，光源，その他付属部材等がモニタ７に表示される。
【００４１】
次に，モニタ７上に表示された品番、製品写真、仕様、製品価格，外観，色調，組合せ可能である安定器，光源，その他付属部材等のうち，操作者によって選択されたものにつき，積算部１１が積算し，その結果を積算書類１３として出力する。この積算は、汎用の方法を用いることができる。
【００４２】
続いて、デジタルデータに従った図形から任意の図形を特定する方法について説明する。なお，以下ではモニタ７上の図形に対する操作を説明するが，図形特定部８内ではメモリ１４に記憶されたデジタルデータに対する処理が行われている。
【００４３】
最初に，図形の一部分をクリックする。図６に示す如く，この点を原点１５として、モニタ７の縦軸の数値を正方向に増加させることで，モニタ７上の上方向に図形を走査していき、図形（黒い点）が見つかったら走査をやめる。
【００４４】
次に，原点１５に対し，モニタ７の縦軸の数値を負方向に増加させることで，モニタ７上の下方向に図形を走査していき、図形（黒い点）が見つかったら走査をやめる。
【００４５】
次に，原点１５に対し，モニタ７の横軸の数値を正方向に増加させることで，モニタ７上の右方向に図形を走査していき、図形（黒い点）が見つかったら走査をやめる。
【００４６】
次に，原点１５に対し，モニタ７の横軸の数値を負方向に増加させることで，モニタ７上の左方向に図形を走査していき、図形（黒い点）が見つかったら走査をやめる。
【００４７】
次に、図７に示すように、上下方向の走査結果の線分と，左右方向の走査結果の線分と，のうちで短い線分１６を選択し、それに基づいて矩形の範囲指定していく。
【００４８】
次に，図７に示す線分１６を，その長さを維持したまま、モニタ７上の上方向に移動して、その辺のすべての点が図形（黒い点）でなくなるか、紙の端に到達するまで、移動することで，上辺１７を設定し，これと線分１６との端部を線分１８，１９により接続して矩形の範囲指定を行う（図８参照）。
【００４９】
次に，図８に示す矩形の下辺（図７に示す線分１６）を，その長さを維持したまま、モニタ７上の下方向に移動して、その辺のすべての点が図形（黒い点）でなくなるか、紙の端に到達するまで、移動する（図９参照）。
【００５０】
次に，図９に示す矩形の右辺（図８に示す線分１８）を，その長さを維持したまま、モニタ７上の右方向に移動して、その辺のすべての点が図形（黒い点）でなくなるか、紙の端に到達するまで、移動する（図１０参照）。
【００５１】
次に，図１０に示す矩形の左辺（図８に示す線分１９）を，その長さを維持したまま、モニタ７上の左方向に移動して、その辺のすべての点が図形（黒い点）でなくなるか、紙の端に到達するまで、移動する（図１１参照）。
【００５２】
上記作業を繰り返すことで矩形を移動し，最後に，どの辺についても移動されなかった場合に，範囲指定が完了したものとして図形特定を終了する。
【００５３】
本実施形態に記載された発明によれば、任意の図形を特定するための範囲指定は，モニタ７上に指定された一の指定位置を原点１５とする横軸及び縦軸の数値を正負両方向に増加させながら，線に対応するデータが検出されなくなる座標を求め，かかる座標を結ぶことで行われるので，作業者がカーソルを一の指定位置に合わせるだけで任意の図形が特定されるので，作業の煩雑さが解消され，カーソルをドラッグしての範囲指定する場合に見られる図形の一部を指定から外してしまう特定不良が生じる可能性が低減する。
【００５４】
また本実施形態に記載された発明によれば、標準図形データを収容する標準データベース９と，請求項１記載の図形特定システム１によって特定された任意の図形に対して，標準図形データを順次照合させる図形検索部１０とを有し，任意の図形に対応する標準図形データを特定するので，簡単な操作で図形特定を行うことができる。
【００５５】
また本実施形態に記載された発明によれば、標準データベースは標準図形データに関連付けられた設計用データ，例えば，対応する光源，バラスト，カラーリング，ポール等付属品のデータ等をも収容するものであり，請求項２記載の図形照合システムによって特定された任意の図形に関連する設計用データを積算する積算部１１を有するので，簡単な操作で，かつ図形特定の不良による積算システムの動作不良を低減した状態で積算を行うことができる。
【図面の簡単な説明】
【００５６】
【図１】本実施形態における図形特定システムのブロック図
【図２】本実施形態における図形照合システムのブロック図
【図３】本実施形態における積算システムのブロック図
【図４】本実施形態における図形特定動作の例
【図５】本実施形態における図形照合動作の例
【図６】本実施形態における図形特定動作の説明図
【図７】本実施形態における図形特定動作の説明図
【図８】本実施形態における図形特定動作の説明図
【図９】本実施形態における図形特定動作の説明図
【図１０】本実施形態における図形特定動作の説明図
【図１１】本実施形態における図形特定動作の説明図
【符号の説明】
【００５７】
１      図形特定システム
２      図形照合システム
３      積算システム
４      線図
５      読取部
６      デジタル変換部
７      モニタ
８      図形特定部
９      標準データベース
１０      図形検索部
１１      積算部
【図１】
2008097315.tif 000003
【図２】
2008097315.tif 000004
【図３】
2008097315.tif 000005
【図４】
2008097315.tif 000006
【図５】
2008097315.tif 000007
【図６】
2008097315.tif 000008
【図７】
2008097315.tif 000009
【図８】
2008097315.tif 000010
【図９】
2008097315.tif 000011
【図１０】
2008097315.tif 000012
【図１１】
2008097315.tif 000013